(57)【要約】【課題】薬剤を所望する状態で揮散させることができる薬剤揮散具を提供する。【解決手段】本発明の薬剤揮散具１０は、揮発性を有する薬剤を担持した薬剤担持体を収容した第１の空間、および第１の空間を開放する第１の開口部を有する第１の収容部と、第１の収容部の第１の開口部を封止して第１の空間を密封した密封材と、薬剤担持体を受け入れ可能な第２の空間、第２の空間を第１の収容部の第１の空間に連通させるための第２の開口部、第２の開口部に設けられ第２の開口部を第１の開口部に重ねたときに第１の開口部の内側に挿通されて密封材を破る破封部、および第２の空間を外気に連通させるための揮散孔を有する第２の収容部と、を有する。【選択図】図７
2019064597.tif 000002
【特許請求の範囲】
【請求項１】
揮発性を有する薬剤を担持した薬剤担持体を収容した第１の空間、および前記第１の空間を開放する第１の開口部を有する第１の収容部と、
前記第１の収容部の前記第１の開口部を封止して前記第１の空間を密封した密封材と、
前記薬剤担持体を受け入れ可能な第２の空間、前記第２の空間を前記第１の収容部の前記第１の空間に連通させるための第２の開口部、前記第２の開口部に設けられ前記第２の開口部を前記第１の開口部に重ねたときに前記第１の開口部の内側に挿通されて前記密封材を破る破封部、および前記第２の空間を外気に連通させるための揮散孔を有する第２の収容部と、
を有する薬剤揮散具。
【請求項２】
前記第２の開口部は、前記第１の開口部より小径であり、
前記第２の収容部は、前記第２の開口部を一端に有する有底の筒状体であり、
前記破封部は、前記筒状体の前記一端を軸方向に突出させた突起であり、前記第１の収容部の前記第１の開口部の内側に挿入される、
請求項１の薬剤揮散具。
【請求項３】
前記第１の収容部の前記第１の空間は、所定数の前記薬剤担持体を収容して前記第１の開口部を前記密封材により封止した状態で、前記薬剤担持体が前記第１の空間内で自由に移動することができない程度の容積を有する、
請求項１の薬剤揮散具。
【請求項４】
前記突起は、前記筒状体をその軸と直交する面に対して傾斜した架空の切断面で切断した形状を有する、
請求項２の薬剤揮散具。
【請求項５】
前記突起は、前記筒状体の前記一端の周方向に並んで複数個設けられている、
請求項２の薬剤揮散具。
【請求項６】
前記第１の収容部の外側に当該第１の収容部と一体に設けた第１のケースと、
前記第２の収容部の外側に当該第２の収容部と一体に設けた前記第１のケースと嵌合する第２のケースと、
前記第１のケースと前記第２のケースを一体に連結した可撓性を有する連結部材と、
をさらに有する請求項１の薬剤揮散具。
【請求項７】
前記第１の収容部の外側に当該第１の収容部と一体に設けた第１のケースと、
前記第２の収容部の外側に当該第２の収容部と一体に設けた前記第１のケースと螺合する第２のケースと、をさらに有し、
前記第１のケースと前記第２のケースを螺合することで前記破封部が前記第１の開口部に挿通されつつ回転される、
請求項１の薬剤揮散具。
【発明の詳細な説明】
【技術分野】
【０００１】
本発明は、例えば、芳香剤、消臭剤、防虫剤などの薬剤を揮散させるための薬剤揮散具に関する。
【背景技術】
【０００２】
芳香剤などの揮発性を有する薬剤は、空気に触れることで揮散を開始する。このため、例えば、従来の薬剤揮散具においては、芳香剤を収容した容器の開口部をシールしておき、使用開始時にシールを破るようにしている。
【０００３】
例えば、特許文献１の芳香剤容器は、芳香剤を収納した収納容器体、および収納容器体を装着するケース体を有する。この芳香剤容器の使用を開始するときには、収納容器体をケース体に装着することで、収納容器体の開口部を密閉したシート蓋を破断する。これにより、収納容器体に収納した芳香剤をケース体の気散シートに浸透させて気散シートから芳香剤を放散させる。よって、特許文献１の芳香剤容器によると、シート蓋を簡単に開封することができ、芳香剤をすぐに揮散させることができる。
【先行技術文献】
【特許文献】
【０００４】
【特許文献１】特開２０１２−１１６５１３号公報
【発明の概要】
【発明が解決しようとする課題】
【０００５】
しかし、特許文献１の芳香剤容器によると、収納容器体に挿通した浸透芯を通して芳香剤を気散シートに浸透させるため、シート蓋の開封後は、芳香剤が一定の割合で空気中に放散され続け、芳香剤の放散をコントロールすることができない。
【０００６】
本発明は、上記の点に鑑みてなされたもので、薬剤を所望する状態で揮散させることができる薬剤揮散具を提供することを目的とする。
【課題を解決するための手段】
【０００７】
本発明の薬剤揮散具の一態様は、揮発性を有する薬剤を担持した薬剤担持体を収容した第１の空間、および第１の空間を開放する第１の開口部を有する第１の収容部と、第１の収容部の第１の開口部を封止して第１の空間を密封した密封材と、薬剤担持体を受け入れ可能な第２の空間、第２の空間を第１の収容部の第１の空間に連通させるための第２の開口部、第２の開口部に設けられ第２の開口部を第１の開口部に重ねたときに第１の開口部の内側に挿通されて密封材を破る破封部、および第２の空間を外気に連通させるための揮散孔を有する第２の収容部と、を有する。
【発明の効果】
【０００８】
本発明の一態様によれば、薬剤を所望する状態で揮散させることができる薬剤揮散具を提供することができる。
【図面の簡単な説明】
【０００９】
【図１】図１は、第１の実施形態に係る薬剤揮散具を示す外観斜視図である。
【図２】図２は、図１の薬剤揮散具の取り付け例を示す概略図である。
【図３】図３は、図１の薬剤揮散具の一方の容器を示す外観斜視図である。
【図４】図４は、図３の容器を展開した概略図である。
【図５】図５は、図４の密封シールを剥がした状態を示す概略図である。
【図６】図６は、図３の容器をＦ６−Ｆ６に沿って切断した断面図である。
【図７】図７は、第１の変形例に係る破封部の構造を示す斜視図である。
【図８】図８は、第２の変形例に係る破封部の構造を示す斜視図である。
【図９】図９は、第２の実施形態に係る薬剤揮散具の２つの樹脂ケースを分離した状態を示す概略斜視図である。
【発明を実施するための形態】
【００１０】
以下、本発明の実施形態について図面を参照して説明する。
（第１の実施形態）
図１に示すように、第１の実施形態に係る薬剤揮散具１０は、略球形の２つの容器２、４を環状のゴム紐６でつないだ構造を有する。ゴム紐６は、必ずしも環状である必要はなく１本の紐状部材であってもよく、必ずしも伸縮可能な材料により形成しなくてもよい。
【００１１】
一方の容器２の中には、揮発性を有する薬剤（芳香剤や消臭剤など）を封入したマイクロカプセルを担持した複数個の粒状の薬剤担持体（ここでは図示せず）が収容されている。薬剤担持体は、マイクロカプセルを用いずに薬剤を粒状の担持体に直接担持させたものであってもよく、薬剤自体を固まりにした粒状のものも薬剤担持体に含むものとする。薬剤担持体の個数、形状、大きさは、任意に設定可能であり、容器２に振動を与えたときに容器２内で移動可能であればよい。
【００１２】
もう一方の容器４は、容器２と同じように薬剤担持体を収容してもよく、薬剤担持体を収容しなくてもよい。２つの容器２、４の大きさや形状も同じである必要はない。容器４は、内部を空洞にする必要もない。しかし、本実施形態では、容器４を容器２と同じ構造に形成し、内部に薬剤担持体を収容した。以下の説明では、一方の容器２の構造について詳細に説明し、他方の容器４の構造については、容器２と同様に機能する構成要素に同一符号を付してその詳細な説明を省略する。
【００１３】
上記の構造を有する薬剤揮散具１０は、例えば、図２に示すように、自動車のヘッドレスト１２に結び付けたり、バックミラーに括り付けたり、エアコンの吹き出し口にあるルーバーに引っ掛けて取り付けたり、後部座席の上方にあるアシストグリップに結び付けたりして使用することができる。薬剤揮散具１０は、自動車の構成部品以外のいかなる吊り下げ対象物にも取り付けできる。
【００１４】
薬剤揮散具１０を例えば自動車の座席のヘッドレスト１２に結び付ける場合、ゴム紐６をヘッドレスト１２の一方の支柱１２ａに結び付ける。本実施形態の薬剤揮散具１０は、容器２に振動を与えることで、薬剤担持体に担持したマイクロカプセルが破袋して薬剤が揮散するものであるため、自動車などの移動体に取り付けて使用するのに適している。例えば、薬剤揮散具１０を自動車に取り付けると、自動車を運転しているときに芳香剤の揮散量を増加させ、駐車しているときには揮散量を抑制することができ、所望するタイミングで芳香剤の揮散量を増加させることができる。
【００１５】
以下、容器２の構造について、図３乃至図６を参照して説明する。  
容器２は、略半球状の２つの樹脂ケース２ａ、２ｂを略矩形板状の可撓性を有する連結部材８を介して一体に連結した構造を有する。本実施形態では、樹脂ケース２ａ、２ｂ、および連結部材８は、樹脂による一体成形により形成されている。容器２は、図３に示すように、各樹脂ケース２ａ、２ｂの開口部の縁を互いに嵌め合わせた構造を有し、内部に薬剤担持体を収容するための概ね円筒状の収容空間１（図６）を有する。
【００１６】
一方の樹脂ケース２ａの内面には、それぞれ嵌合穴３ａを有する３つのボス部３が一体に設けられている。もう一方の樹脂ケース２ｂの対応する部位には、樹脂ケース２ａの各ボス部３の嵌合穴３ａにそれぞれ嵌合する３本の嵌合ピン５が一体に設けられている。２つの樹脂ケース２ａ、２ｂを嵌合させる際には、連結部材８を湾曲させつつ２つの樹脂ケース２ａ、２ｂの開口部を対向させ、樹脂ケース２ａの各嵌合穴３ａに樹脂ケース２ｂの各嵌合ピン５を押し込む。連結部材８は、図３に示すように環状に湾曲されてゴム紐６を挿通する挿通部として機能する。
【００１７】
樹脂ケース２ｂは、複数個（本実施形態では８個）の例えば円形の揮散孔２ｃを有する。揮散孔２ｃは、樹脂ケース２ｂを貫通して収容空間１に連通する位置に設けられている。つまり、揮散孔２ｃは、後述する円筒壁１６の内側の収容空間１ｂの底に設けられている。そして、揮散孔２ｃの形状や大きさは、薬剤担持体が通過できない形状や大きさに設計されている。この条件を満たせば、揮散孔２ｃの個数、形状、大きさは、任意に設定可能である。
【００１８】
図４および図５に示すように、樹脂ケース２ａは、内部に円筒壁１４を有する。また、樹脂ケース２ｂは、内部に円筒壁１６（筒状体）を有する。円筒壁１６の外径は、円筒壁１４の内径よりわずかに小さい。円筒壁１６の高さは円筒壁１４より低い。これら２つの円筒壁１４、１６は、図６に示すように２つの樹脂ケース２ａ、２ｂを嵌合させた状態で、同軸に配置される。また、樹脂ケース２ａ、２ｂを嵌合させると、円筒壁１４の内側に円筒壁１６の先端がわずかに差し込まれて、略円筒状の収容空間１が形成される。
【００１９】
樹脂ケース２ａ内に設けた円筒壁１４は、樹脂ケース２ａの開口部を超えて突出した先端を有する。円筒壁１４の先端には、円形の開口部１４ａ（第１の開口部）が設けられている。開口部１４ａは、円筒壁１６の先端を受け入れるとともに、薬剤担持体Ｂを挿入するための開口部として機能する。円筒壁１４の内部は、予め決められた個数の薬剤担持体Ｂを収容することが可能な容積を有する収容空間１ａ（第１の空間）として機能する。円筒壁１４は、使用開始前の薬剤担持体Ｂを収容する第１の収容部として機能する。
【００２０】
円筒壁１４の開口部１４ａは、図５に示すように開口部１４ａを介して所定数の薬剤担持体Ｂを収容した後、図４に示すように略円形の密封シート１８（密封材）でシールされる。密封シート１８は、薬剤非透過性の可撓性を有する樹脂フィルムなどで形成され、開口部１４ａの周りで円筒壁１４の先端に密着され、開口部１４ａを封止する。円筒壁１４が樹脂ケース２ａの内部に設けられているため、密封シート１８は容器２の外から見えない。このため、見栄えを気にすることなく、円筒壁１４の側面まで密封シート１８を被せてしっかりと密着させることができる。
【００２１】
本実施形態では、円筒壁１４の先端を樹脂ケース２ａの開口部から突出させたため、収容空間１ａの容積を比較的大きくすることができ、収容空間１ａに収容する薬剤担持体Ｂの個数を多くすることができる。円筒壁１４の径や高さは、連結部材８を中心にして樹脂ケース２ｂを樹脂ケース２ａに向けて回動させたときに円筒壁１６をスムーズに挿入できる（２つの樹脂ケース２ａ、２ｂを嵌合できる）値であればよく、薬剤担持体Ｂの収容数を多くするためできるだけ大きくすることが望ましい。
【００２２】
もう一方の樹脂ケース２ｂ内に設けた円筒壁１６は、その先端に開口部１６ａ（第２の開口部）を有するとともに、開口部１６ａの縁に沿って円筒壁１６を軸方向に延長させた３つの破封爪１７（破封部、突起）を備えている。３つの破封爪１７は、開口部１６ａの周方向に沿って等間隔で設けられている。
【００２３】
３つの破封爪１７は、２つの樹脂ケース２ａ、２ｂを嵌合させることで、密封シート１８を破封する。つまり、２つの樹脂ケース２ａ、２ｂを嵌合させると、樹脂ケース２ａの円筒壁１４の開口部１４ａを介して樹脂ケース２ｂの円筒壁１６の先端が挿入され、３つの破封爪１７が円筒壁１４の内面に沿って差し込まれる。これにより、円筒壁１４の開口部１４ａを密封した密封シート１８が破封爪１７によって少なくとも部分的に破られる。
【００２４】
樹脂ケース２ｂの円筒壁１６は、その内部に薬剤担持体Ｂを受け入れ可能な円筒状の収容空間１ｂ（第２の空間）を有する。つまり、円筒壁１６は、開口部１６ａを介して円筒壁１４から薬剤担持体Ｂを受け入れることが可能な第２の収容部として機能する。
【００２５】
上述したように、破封爪１７によって少なくとも部分的に破られた密封シート１８は、収容空間１ａ内の薬剤担持体Ｂによって押圧されることで、図６に示すように大きく破られる。これにより、収容空間１ｂが収容空間１ａと連通され、円筒壁１４内の収容空間１ａから円筒壁１６内の収容空間１ｂへ薬剤担持体Ｂが移動可能となる。
【００２６】
この状態で、容器２に振動が加えられると、薬剤担持体Ｂが収容空間１内を自由に移動して、薬剤担持体Ｂ同士、或いは円筒壁１４、１６の内面と衝突し、マイクロカプセルが破袋する。これにより、樹脂ケース２ｂの揮散孔２ｃを介して薬剤Ｙの揮散が開始される。
【００２７】
このような薬剤担持体Ｂの移動は、円筒壁１６を円筒壁１４の内側に差し込んで収容空間１ａより容積の大きい収容空間１を形成することで可能となる。言い換えると、円筒壁１４の中に薬剤担持体Ｂが収容されて密封シート１８で密封された状態では、薬剤担持体Ｂは自由に動くことができないが、密封シート１８を破封して収容空間１ｂを収容空間１ａに連通して収容空間１の容積を大きくすることで薬剤担持体Ｂが移動可能な空間を広げることができる。
【００２８】
また、収容空間１ｂを収容空間１ａに連通させることで、収容空間１ａを揮散孔２ｃに連通させることができ、薬剤Ｙの揮散が可能となる。言い換えると、収容空間１ｂを収容空間１ａに連通させない状態では、収容空間１ａが外気と連絡していないため、薬剤Ｙを揮散させることができない。つまり、本実施形態によると、薬剤揮散具１０の使用開始前の状態（図４に示す状態）においては、薬剤Ｙが揮散する心配が無く、図６に示すように密封シート１８を破封して初めて薬剤Ｙの揮散が可能となり、所望するタイミングで薬剤Ｙの揮散を開始させることができる。このため、薬剤揮散具１０の使用開始時に使用者が薬剤担持体Ｂに担持された薬剤Ｙに触れたり、薬剤担持体Ｂを容器２外に落下させるといった不具合を防止することができる。
【００２９】
以上のように、本実施形態によると、密封シート１８を破封することで薬剤担持体Ｂの移動空間を広げて薬剤Ｙの揮散を可能にした。このため、薬剤Ｙを多く揮散させたい場合には、容器２を振ればよく、所望するタイミングで所望する量の薬剤Ｙを揮散させることができる。また、例えば、本実施形態の薬剤揮散具１０を自動車に取り付けて使用した場合、運転中は自動車の振動により薬剤Ｙを揮散させ、駐車している状態では薬剤Ｙの揮散を止めさせることもでき、容器２をわざわざ振る必要もない。
【００３０】
（変形例）
以下、上述した第１の実施形態の変形例について図７および図８を参照して説明する。変形例に係る薬剤揮散具は、破封爪（破封部、突起）の形状が異なる以外、上述した第１の実施形態の薬剤揮散具１０と同じ構造を有する。よって、ここでは、第１の実施形態と異なる破封爪の形状について詳細に説明し、それ以外の構造についての説明を省略する。
【００３１】
第１の変形例に係る破封爪２１は、図７に示すように、円筒壁１６をその軸と直交する面に対して傾斜した架空の切断面で切断した形状を有する。このように、円筒体を斜めに切断することで、円筒体の周部の一か所に先鋭な突起を設けることができる。突起をより尖らせたい場合には、切断面の傾斜を大きくすればよい。
【００３２】
第２の変形例に係る破封爪３１は、図８に示すように、円筒壁１６の開口部１６ａを設けた先端に、周方向に等間隔で並んで先鋭な突起を複数設けた形状を有する。このように、微小な突起を円筒壁１６の全周に設けることで、密封シート１８の略全周を切り離すことができ、収容空間１ａ、１ｂを容易に連通させることができる。
【００３３】
（第２の実施形態）
上述した第１の実施形態では、連結部材８を介して２つの樹脂ケース２ａ、２ｂを連結して、連結部材８を介して一方の樹脂ケース２ｂを樹脂ケース２ａに向けて回動して両者を嵌合させるようにしたが、連結部材８を設けずに２つの樹脂ケース２ａ、２ｂをネジにより螺合させてもよい。
【００３４】
図９は、第２の実施形態に係る薬剤揮散具の一方の容器２の２つの樹脂ケース２ａ、２ｂを分離した状態を示す斜視図である。第２の実施形態に係る薬剤揮散具は、２つの樹脂ケース２ａ、２ｂを連結した連結部材８、３つのボス部３、および３本の嵌合ピン５を有しておらず、樹脂ケース２ａの開口部の内縁に雌ネジ４１を有するとともに、樹脂ケース２ｂの開口部の外縁に雌ネジ４１と螺合する雄ネジ４２を有する。これ例外の構成は、上述した第１の実施形態と略同じであるため、ここでは第１の実施形態の薬剤揮散具１０と同様に機能する構成要素には同一符号を付してその詳細な説明を省略する。
【００３５】
本実施形態によると、２つの樹脂ケース２ａ、２ｂを螺合させることで、円筒壁１６の破封爪１７を密封シート１８に突き刺しつつ回転させることができ、密封シート１８を完全に円筒壁１６と切り離すことができ、収容空間１ａ、１ｂを完全に連通させることができる。
【００３６】
また、本実施形態によると、連結部材８を有していないため、２つの樹脂ケース２ａ、２ｂを嵌合させる際に円筒壁１４、１６の干渉を気にする必要がなく、円筒壁１４の高さを第１の実施形態より高くすることができる。これにより、薬剤担持体Ｂを収容する収容空間１ａを大きくすることができ、より多くの薬剤担持体Ｂを収容することができる。
【００３７】
以上、いくつかの実施形態に基づいて本発明を説明したが、本発明は、上述した実施形態に限定されるものではなく、本発明の要旨の範囲内で種々の変形や応用が可能なことは勿論である。
【符号の説明】
【００３８】
１、１ａ、１ｂ…収容空間、  ２、４…容器、  ２ａ、２ｂ…樹脂ケース、  ２ｃ…揮散孔、  ６…ゴム紐、  １０…薬剤揮散具、  １４、１６…円筒壁、  １４ａ、１６ａ…開口部、  １７、２１、３１…破封爪、  １８…密封シート、  ４１…雌ネジ、  ４２…雄ネジ、  Ｂ…薬剤担持体、  Ｙ…薬剤。
【図１】
2019064597.tif 000003
【図２】
2019064597.tif 000004
【図３】
2019064597.tif 000005
【図４】
2019064597.tif 000006
【図５】
2019064597.tif 000007
【図６】
2019064597.tif 000008
【図７】
2019064597.tif 000009
【図８】
2019064597.tif 000010
【図９】
2019064597.tif 000011